(57)【要約】  【課題】リニア駆動モジュールが作動すると同時に自動潤滑でき、リニア駆動モジュールの潤滑時限を向上させることができ、自己潤滑ユニットへの組み付け取り外しが一層便利にすることができ、止オイルタンク部の内部の潤滑油の全てを使用できる自己潤滑ユニットを提供する。  【解決手段】自己潤滑ユニットは、潤滑油塗布部、接続及び送油用潤滑油部及び係止オイルタンク部から構成され、接続及び送油用潤滑油部により係止オイルタンク部が蓄積する潤滑油を潤滑油塗布部に送油すると共に、前記リニア駆動モジュールを作動させる際に潤滑油塗布部を連動して自動潤滑を行うことによって、係止オイルタンク部は、さらに潤滑油を蓄積でき、リニア駆動モジュールの潤滑時限を向上させることができる。【選択図】    図２
2008291904.tif 000002
【特許請求の範囲】
【請求項１】
スライダーは、摺動自在にスライド上に取り付けられ、該スライドが両側の内壁上にそれぞれ成形された長条状の溝を利用して前記スライダーに設置された溝とを対応し、該スライドの溝とスライダーの溝との間に、スライダーがスライド上を摺動するように、さらに複数の回転素子が設けられ、該スライダーは、その摺動方向に対応してねじ穴を貫設し、かつ、両端にそれぞれ貫通孔が開設されたエンドカバーを組み付け、該両エンドカバーは、前記回転素子をスライダー内に制限させるためのもので、また、スクリューがスライダーのねじ穴内に締付けられると共に、両エンドカバーの貫通孔を貫通する自己潤滑ユニットを備えたリニア駆動モジュールであって、
さらに、前記スクリューが貫通して前記スライダーの前記エンドカバー上に自己潤滑ユニットを取り付け、該自己潤滑ユニットは、潤滑油塗布部、接続及び送油用潤滑油部及び係止オイルタンク部から構成され、その内、
前記の潤滑油塗布部は、前記エンドカバーの表面に取り付けられ、塗布シート固定台及び塗布シートを備え、塗布シートが塗布シート固定台に取り付けられ、その上に設置された複数の突出部を利用して前記スライドの溝と前記スクリューとを接続させることができ、
前記接続及び送油用潤滑油部は、接続器及び含油可能物質から構成され、該接続器の一端が前記潤滑油塗布部を貫通して前記エンドカバー上に取り付けられ、該含油可能物質は接続器内に取り付けられ、その一端が潤滑油塗布部の塗布シートに接触し、
前記係止オイルタンク部は、取外し自在に前記接続及び送油用潤滑油部のその接続器の他端に取り付け潤滑油を蓄積するために用いられ、該係止オイルタンク部は、さらに送油素子を備え、送油素子と前記接続器内の含油可能物質の他端に接続されており、これらの送油素子、含油可能物質及び潤滑油塗布部の塗布シートを直列して完全なる油路を構成する
ことを特徴とする自己潤滑ユニットを備えたリニア駆動モジュール。
【請求項２】
前記潤滑油塗布部は、さらに前記塗布シート固定台にカバープレートを覆設して、塗布シートをカバープレートと塗布シート固定台との間に制限させ、該塗布シートの突出部は、塗布シート固定台の外部に露出することを特徴とする請求項１に記載の自己潤滑ユニットを備えたリニア駆動モジュール。
【請求項３】
前記接続及び送油用潤滑油部の接続器は、管状で、かつ、前記含油可能物質の両端が接続器の外部に露出して前記塗布シート及び前記送油素子に接続することを特徴とする請求項１に記載の自己潤滑ユニットを備えたリニア駆動モジュール。
【請求項４】
前記係止オイルタンク部は、溝体、溝カバー及び前記送油素子から構成され、溝体に通孔を有し、送油素子が溝体内に囲むように取り付けられ、溝カバーが溝体を閉鎖して潤滑油を蓄積するために用いられ、また、該送油素子と潤滑油を接触し前記通孔を介して外界と連通し、前記係止オイルタンク部は、さらに該通孔により前記接続器の他端に取外し自在に取り付けられることを特徴とする請求項１に記載の自己潤滑ユニットを備えたリニア駆動モジュール。
【請求項５】
前記溝体は、さらに注油孔を有し、かつ、前記注油孔を閉鎖させるためのプラグをさらに増設することを特徴とする請求項４に記載の自己潤滑ユニットを備えたリニア駆動モジュール。
【発明の詳細な説明】
【技術分野】
【０００１】
本発明は、リニア駆動モジュールに関し、特に自己潤滑ユニットを備えたリニア駆動モジュールに関する。
【背景技術】
【０００２】
リニア駆動モジュールは、スライド、スライダー及びスクリューから構成され、その内、前記スライダーがリニア摺動自在に前記のスライド上に組み付けられ、前記スクリューが該スライダーに締付けられ、スクリューの回転運動により、スライダーを前記スライド上にリニア摺動するように連動させる。ここで、該スクリューの回転運動、または該スライダのリニア摺動のいずれも摩擦力を生じ、この摩擦力により、運動エネルギーを熱エネルギーに転換することで、エネルギーの無駄使いになるため、該リニア駆動モジュールは、潤滑油で潤滑させることにより、その作動時のエネルギー伝送効率を向上させ、運動エネルギーを作動物に完全に伝送することが期待されている。
【０００３】
今まで、当該リニア駆動モジュールに対して潤滑を行う方式は、分散型潤滑及び集中型潤滑の両方式がある。その内、分散型潤滑とは、オイルガンにより手動で該リニア駆動モジュールに定時に給油する方式を指し、他の集中型潤滑の潤滑方式とは、管路を介して手動または自動方式により、リニア駆動モジュールに対して給油を行う方式を指す。
【０００４】
しかし、以上の両給油方式は、いずれも該リニア駆動モジュールの外部からの給油方式で、実行の際に、不当な給油による滴下、または給油し多すぎて無駄になったり、給油が少なすぎて潤滑不足になるなどの問題が存在しているので、この様な問題を如何に解決するかは今まで発展しようとする標的にある。
【発明の開示】
【発明が解決しようとする課題】
【０００５】
前記従来の問題を鑑み、本発明人は、前記不当に給油、または給油量が多くなりすぎたり、少なくなりすぎたりするような問題について研究を進め、さらに、内部の自己潤滑方式を採用して開発を行うことにより自己潤滑ユニットを備えたリニア駆動モジュールが発展することができた。
【０００６】
本発明は、自己潤滑ユニットを備えたリニア駆動モジュールを提供する。その第１の目的としては、該リニア駆動モジュールに組み付けられた自己潤滑ユニットを利用することにあり、該リニア駆動モジュールが作動すると同時に、自動潤滑可能である。
【０００７】
本発明は、自己潤滑ユニットを備えたリニア駆動モジュールを提供する。その第２の目的としては、該自己潤滑ユニットの係止オイルタンク部を利用して潤滑油を蓄積することにより、リニア駆動モジュールの潤滑時限を向上させることができる。
【０００８】
本発明は、自己潤滑ユニットを備えたリニア駆動モジュールを提供する。その第３の目的としては、前記係止オイルタンク部が取外し自在に該自己潤滑ユニットに組み付けられ取り外し交換が一層便利にすることができる。
【０００９】
本発明は、自己潤滑ユニットを備えたリニア駆動モジュールを提供する。その第４の目的としては、前記係止オイルタンク部の内側を囲むように取り付けられた送油素子を利用して該係止オイルタンク部の内部の潤滑油の全てを使用できるようになる。
【課題を解決するための手段】
【００１０】
以上の各目的に鑑み、本発明の自己潤滑ユニットを備えたリニア駆動モジュールは、リニア駆動モジュールのスライダー上に自己潤滑ユニットを組み付ける。該スライダーは、リニア移動すると同時に、自己潤滑ユニットを連動して該リニア駆動モジュールに対して潤滑を行い自動潤滑の目的を達成することができる。また、前記自己潤滑ユニットは、さらに係合オイルタンク部を備え、該係合オイルタンク部の内部に潤滑油が蓄積され、該自己潤滑ユニットに給油して前記リニア駆動モジュールに対して潤滑を行うことができ、リニア駆動モジュールの潤滑時限を向上させる目的を達成することができる。そして、前記係合オイルタンク部は、取外し自在に前記自己潤滑ユニットに取り付けることができるので、該係合オイルタンク部の取外しは、さらに便利になる。また、前記係合オイルタンク部の内側を囲むように送油素子が取り付けられ、該送油素子により係合オイルタンク部の内部の潤滑油を全て吸収して潤滑の使用に提供して潤滑油の完全使用の目的を達成することができる。
【００１１】
本発明は、前記の目的及び特徴を達成するために、採用される技術、手段及びその他の効果は、実施例を列挙して図面を合わせて下記のように詳しく説明すれば、本発明の目的、特徴及びその他の利点をより深く、また具体的に理解できると確信する。
【発明を実施するための最良の形態】
【００１２】
本発明は、自己潤滑ユニットを備えたリニア駆動モジュールであって、その実施例は、図１及び図２に示す。
【００１３】
スライド１０は、両側の内壁上に、それぞれ長条状の溝１１が成形される。
【００１４】
スライダー２０は、両側が前記スライド１０の前記両溝１１に対応して両溝２１が成形され、該スライド１０の両溝１１と前記スライダー２０の両溝２１の間は、さらに複数の回転素子２３が設置される。該スライダー２０は、前記回転素子２３によりスライド１０の上に摺動自在に取付けられ、該スライダー２０は、その摺動方向に対応してねじ穴（図示せず）を貫通するように開設し、さらに、両端にそれぞれ貫通孔２２１を開設したエンドカバー２２が組み付けられる。該両エンドカバー２２は、前記回転素子２３を制限するように前記スライダ２０内に位置される。
【００１５】
スクリュー３０は、前記スライダー２０のねじ穴（図示せず）内に螺設して前記両エンドカバー２２の貫通孔２２１を貫通する。該スクリュー３０を回転させれば、スライダー２０が前記スライド１０上にリニア摺動自在に駆動され得る。
【００１６】
自己潤滑ユニット４０に前記スクリュー３０を貫通して前記スライダ２０の前記エンドカバー２２を取り付け、該自己潤滑ユニット４０は、潤滑油塗布部４１、接続及び送油用潤滑油部４２及び係合オイルタンク部４３から構成される。
【００１７】
その内、前記潤滑油塗布部４１は、図３及び図４に示すように、ねじで前記エンドカバー２２の表面に取り付けられ、さらに、塗布シート固定台４１１、塗布シート４１２及びカバープレート４１３を備える。該塗布シート４１２は、該塗布シート固定台４１１に取り付けられ、該カバープレート４１３が塗布シート固定台４１１の上に覆設すると共に、塗布シート４１２をカバープレート４１３と塗布シート固定台４１１との間に制限させ、塗布シート４１２は、さらに前記スライド１０の両溝１１と前記スクリュー３０とに合せて複数の突出部Ａ、Ｂを形成し、当該突出部Ａ、Ｂは、さらに塗布シート固定台４１１に露出する。塗布シート４１２は、当該突出部Ａ、Ｂにより、それぞれ前記両溝１１及び前記スクリュー３０に接触することになる。
【００１８】
前記接続及び送油用潤滑油部４２は、図５及び図６に示すように、接続器４２１及び含油可能物質４２２を備え、該接続器４２１は管状で、かつ、一端が前記潤滑油塗布部４１を貫通して前記エンドカバー２２上に取り付けられ、該含油可能物質４２２が接続器４２１内に取り付けられ、また該含油可能物質４２２の両端は、接続器４２１の外部に露出し、その一端がさらに潤滑油塗布部４１の塗布シート４１２と接触する。
【００１９】
さらに、前記係合オイルタンク部４３は、図７及び図８に示すように、溝体４３１、送油素子４３２、溝カバー４３３及びプラグ４３４から構成され、前記溝体４３１は、通孔Ｃ及び注油孔Ｄを有し、前記送油素子４３２が溝体４３１の内側を囲むように取り付けられ、垂直囲繞または水平囲繞を可能し、前記溝カバー４３３は、溝体４３１を閉鎖して溝体４３１の内部が潤滑油を蓄積することができる。また、前記送油素子４３２は、潤滑油と接触して前記通孔Ｃを介して外部と連通する。前記プラグ４３４は、注油孔Ｄを閉鎖するために用いられ、前記係合オイルタンク部４３は、さらに通孔Ｃを介して前記接続器４２１の他端に取外し自在に取り付けられる。送油素子４３２は、接続器４２１内の含油可能物質４２２の他端に接触すると共に、該送油素子４３１、含油可能物質４２２及び塗布シート４１２を直列して完全なる油路を構成する。これらの送油素子４３１、含油可能物質４２２及び塗布シート４１２は、潤滑油の吸収可能な多孔質構造（例えば、ウールフェルト、フォームプラスチックなど）にすることができる。また、前記自己潤滑ユニット４０の潤滑油塗布部４１、接続及び送油用潤滑油部４２及び係合オイルタンク部４３は、その組合せが図９及び図１０に示すものである。
【００２０】
前記スライダー２０は、前記スライド１０上の摺動に従って、自己潤滑ユニット４０の移動も連動する。この際に、前記潤滑塗布部４１の前記塗布シート４１２は、その突出部Ａ、Ｂにより、前記の両溝１１及び前記スクリュー３０のそれぞれと接触すると同時に、給油潤滑を行うことによって、前記リニア駆動モジュールを作動させると同時に、自動潤滑の目的を達成することができる。
【００２１】
また、前記係合オイルタンク部４３内にも潤滑油を蓄積する可能ことはで、前記塗布シート４１２に潤滑油を供給した後、毛細現象を利用して潤滑油を前記送油素子４３１及び前記含油可能物質４２２を介して該塗布シート４１２に給油することができる。さらに、塗布シート４１２に含まれる潤滑油を補充して該自己潤滑ユニット４０の潤滑油蓄積量を増加して該リニア駆動モジュールの潤滑の時限を向上させることができる。
【００２２】
前記から理解できるように、本発明にかかる自己潤滑ユニットを備えたリニア駆動モジュールにおいて、その潤滑油塗布部４１の塗布シート４１２により潤滑油を前記スライド１０の両溝１１及び前記スクリュー３０上に確実に塗布して不適切給油による滴下の問題にならずに、潤滑油の節約、また環境の清潔に保つことができる。
【００２３】
さらに、前記係止オイルタンク部４３は、取外し自在に前記接続及び送油用潤滑油部４２の接続器４２１に取り付けられるため、取外し取り替えがさらに便利になり、油量が足りなくなったとしても、その溝体４３１の注油孔Ｄから潤滑油を添加することができ極めて便利である。
【００２４】
また、前記送油素子４３２は、前記溝体４３１の内側を囲むように取り付けられるため、該溝体４３１内の各部の潤滑油を完全に吸収して前記塗布シート４１２の潤滑に使用することができ、潤滑油を使い果たす目的が実現でき、潤滑油の使用率を向上させる一方、環境に対する汚れもさらに低減することができる。
【００２５】
前記を総じて、本発明の自己潤滑ユニットを備えたリニア駆動モジュールにおいて、自己潤滑ユニットは、潤滑油塗布部、接続及び送油用潤滑油部及び係止オイルタンク部から構成され、該接続及び送油用潤滑油部により、係止オイルタンク部に蓄積される潤滑油を潤滑油塗布部に送油して、前記リニア駆動モジュールを作動させる際に潤滑油塗布部を連動して自動潤滑を行うことによって、係止オイルタンク部は、さらに潤滑油を蓄積できリニア駆動モジュールの潤滑時限を向上させることができる。
【００２６】
前記のように、本発明は、既に「産業上の利用可能性」を備えていることは明らかで、かつ本実施例に開示された技術特徴においても出願前の諸刊行物に開示されず、また公開に使用することもなく、前記効果の増進する事実を有するのみでなく、その付加的な効果の増進も見損なうことができないので、本発明は、「新規性」及び「進歩性」の何れも特許としての要件に合致してので、法により出願して審査を通じて逸早く許可されることを期する。
【図面の簡単な説明】
【００２７】
【図１】本発明の実施例の立体図。
【図２】本発明の実施例の分解図。
【図３】本発明の実施例の塗布シートの固定台及び塗布シートの見取図。
【図４】本発明の実施例の塗布シートはスライド及びスクリューに対して潤滑を行う見取図。
【図５】本発明の実施例における接続及び送油用潤滑油部の見取図。
【図６】本発明の実施例の接続器の見取図。
【図７】本発明の実施例の係止オイルタンク部の分解図。
【図８】本発明の実施例の送油素子を溝体に取り付けた見取図。
【図９】本発明の実施例における係止オイルタンク部と接続及び送油用潤滑油部の組合せ見取図。
【図１０】本発明の実施例の自己潤滑ユニットの断面図。
【符号の説明】
【００２８】
１０    スライド                      １１    溝
２０    スライダー                    ２１    溝
２２    エンドカバー                ２２１    貫通孔
２３    回転素子
３０    スクリュー
４０    自己潤滑ユニット
４１    潤滑油塗布部
４１１    塗布シート固定台            ４１２    塗布シート
４１３    カバープレート
４２      接続及び送油用潤滑油部
４２１    接続器                      ４２２    含油可能物質
４３    係止オイルタンク部
４３１    溝体                        ４３２    送油素子
４３３    溝カバー                    ４３４    プラグ
Ａ、Ｂ    突出部                          Ｃ    通孔
Ｄ    注油孔
【図１】
2008291904.tif 000003
【図２】
2008291904.tif 000004
【図３】
2008291904.tif 000005
【図４】
2008291904.tif 000006
【図５】
2008291904.tif 000007
【図６】
2008291904.tif 000008
【図７】
2008291904.tif 000009
【図８】
2008291904.tif 000010
【図９】
2008291904.tif 000011
【図１０】
2008291904.tif 000012